(57)【要約】  【課題】  簡易な形状でありながら、汎用性を備え、骨組み組立て部材の製造コストを低減させることができるジョイント部材及び棒状部材を提供する。  【解決手段】  骨組み組立て部材を構成するジョイント部材１０は、外形が略直方体形状に成形されている。そして、上面１０ａ及び側面１０ｂ、１０ｃ、１０ｄ、１０ｅの各々に一体的に連通する溝部１ａ、１ｂ、１ｃ、１ｄが形成されている。また、上面１０ａ及び下面の中央には穴部２ａが形成されている。溝部１ａ、１ｂ、１ｃ、１ｄは、ジョイント部材１０に連結される第１棒状部材の端部に形成された突起が挿入結合可能となるように形成されている。また、穴部２ａは、ジョイント部材１０に連結される第２棒状部材の端部に形成された突起が挿入結合可能となるように形成されている。【選択図】図１
2018081154.tif 000002
【特許請求の範囲】
【請求項１】
外形が略直方体形状に成形された骨組み組立て部材用のジョイント部材であって、
上面及び側面に一体的に連通して形成された溝部と、
上面及び下面に形成された穴部とを有し、
前記溝部は、ジョイント部材に連結される第１棒状部材の端部に形成された突起が挿入結合可能となるように形成されており、
前記穴部は、ジョイント部材に連結される第２棒状部材の端部に形成された突起が挿入結合可能に形成されていることを特徴とする骨組み組立て部材用ジョイント部材。
【請求項２】
溝部は、上面の４箇所と、４側面の各々に形成されていることを特徴とする請求項１に記載の骨組み組立て部材用ジョイント部材。
【請求項３】
溝部は、上面方向からみた場合に、略台形状であることを特徴とする請求項１又は２に記載の骨組み組立て部材用ジョイント部材。
【請求項４】
溝部は、側面の上下方向の中間位置よりも上方側に形成されていることを特徴とする請求項１〜３のいずれか１項に記載の骨組み組立て部材用ジョイント部材。
【請求項５】
穴部は、上面及び下面の中央に形成されていることを特徴とする請求項１〜４のいずれか１項に記載の骨組み組立て部材用ジョイント部材。
【請求項６】
穴部は、上面から下面に貫通して形成されていることを特徴とする請求項１〜５のいずれか１項に記載の骨組み組立て部材用ジョイント部材。
【請求項７】
略角柱状に形成された骨組み組立て部材用の第１棒状部材であって、
該第１棒状部材は、両端部側面に突起が形成されており、前記突起は、請求項１〜６のいずれか１項に記載のジョイント部材の溝部に挿入結合可能に形成されていることを特徴とする骨組み組立て部材用の第１棒状部材。
【請求項８】
略角柱状に形成された骨組み組立て部材用の第２棒状部材であって、
該第２棒状部材は、両端部側面に突起が形成されており、前記突起は、請求項１〜６のいずれか１項に記載のジョイント部材の穴部に挿入結合可能に形成されていることを特徴とする骨組み組立て部材用の第２棒状部材。
【請求項９】
第１棒状部材の上面又は下面には、第２棒状部材の突起が挿入結合可能な穴部が形成されていることを特徴とする請求項７に記載の骨組み組立て部材用の第１棒状部材。
【請求項１０】
第１棒状部材の上面及び側面には、第１棒状部材の突起が挿入結合可能な溝部が一体的に連通して形成されていることを特徴とする請求項７又は９に記載の骨組み組立て部材用の第１棒状部材。
【発明の詳細な説明】
【技術分野】
【０００１】
本発明は、建築等の構造を検討又は学習する際、或いは、玩具として遊ぶ為、棒状のチョコレート等を組み立てて遊ぶ菓子として、組み立て家具として、更には実際の建築物として、多目的に使用することができる骨組み組み立て部材のジョイント部材及び棒状部材に関するものである。
【背景技術】
【０００２】
従来から、建築の設計用モデルや木拾い等の骨組み部材において棒状部材を接合する箇所にジョイント部材が使用されている（特許文献１）。
【先行技術文献】
【特許文献】
【０００３】
【特許文献１】特許第３９３３６７３号公報
【発明の概要】
【発明が解決しようとする課題】
【０００４】
しかしながら、上記特許文献１に記載のジョイント部材は、金具により形成されているものであって、接合位置によって数種類の形状が必要となると共に、その形状も複雑になっていた。また、ジョイント部材に接合される棒状部材の種類も増えることから、骨組み組み立て部材全体の製造コストが高くなる要因となっていた。
【０００５】
本発明は、上述した問題点を解決するためになされたものであり、簡易な形状でありながら、汎用性を備え、骨組み組立て部材の製造コストを低減させることができるジョイント部材及び棒状部材を提供することを目的とする。
【課題を解決するための手段】
【０００６】
請求項１の発明は、外形が略直方体形状に成形された骨組み組立て部材用のジョイント部材であって、上面及び側面に一体的に連通して形成された溝部と、上面及び下面に形成された穴部とを有し、前記溝部は、ジョイント部材に連結される第１棒状部材の端部に形成された突起が挿入結合可能に形成されており、前記穴部は、ジョイント部材に連結される第２棒状部材の端部に形成された突起が挿入結合可能に形成されていることを特徴としている。
【０００７】
請求項１のジョイント部材の発明は、第１棒状部材の突起が挿入結合可能な溝部と、第２棒状部材の突起が挿入結合可能な穴部との両方を備えているので、骨組み組立て部材において１種類のジョイント部材で組み立てを行うことができ、骨組み組立て部材の製造コストを低減させることができる。
【０００８】
請求項２のジョイント部材の発明は、請求項１の発明において、溝部は、上面の４箇所と、４側面の各々に形成されていることを特徴としている。したがって、１つのジョイント部材は、最大で４つの第１棒状部材と結合することができる。
【０００９】
請求項３のジョイント部材の発明は、請求項１又は２の発明において、溝部は、上面方向からみた場合に、略台形状であることを特徴としている。したがって、第１棒状部材の突起を溝部に対応するように、上面方向からみた場合に、略台形状に形成することによって、挿入方向に対して垂直な方向の抜け止めを奏することができる。
【００１０】
請求項４のジョイント部材の発明は、請求項１〜３のいずれかの発明において、溝部は、側面の上下方向の中間位置よりも上方側に形成されていることを特徴としている。したがって、骨組み組立て部材の組み立て及び分解をスムーズに行うことができる。
【００１１】
請求項５のジョイント部材の発明は、請求項１〜４のいずれかの発明において、穴部は、上面及び下面の中央に形成されていることを特徴としている。したがって、ジョイント部材を簡易に製造することができる。
【００１２】
請求項６のジョイント部材の発明は、請求項１〜５のいずれかの発明において、穴部は、上面から下面に貫通して形成されていることを特徴としている。したがって、ジョイント部材を簡易に製造することができる。
【００１３】
請求項７の発明は、略角柱状に形成された骨組み組立て部材用の第１棒状部材であって、該第１棒状部材は、両端部側面に突起が形成されており、前記突起は、請求項１〜６のいずれかに記載のジョイント部材の溝部に挿入結合可能に形成されていることを特徴としている。したがって、簡易な形状でありながら、汎用性を備え、骨組み組立て部材の製造コストを低減させることができる。
【００１４】
請求項８の発明は、略角柱状に形成された骨組み組立て部材用の第２棒状部材であって、該第２棒状部材は、両端部側面に突起が形成されており、前記突起は、請求項１〜６のいずれかに記載のジョイント部材の穴部に挿入結合可能に形成されていることを特徴としている。したがって、簡易な形状でありながら、汎用性を備え、骨組み組立て部材の製造コストを低減させることができる。
【００１５】
請求項９の第１棒状部材の発明は、請求項７の発明において、第１棒状部材の上面又は下面には、第２棒状部材の突起が挿入結合可能な穴部が形成されていることを特徴としている。したがって、第１棒状部材と第２棒状部材とを結合することができ、部品点数を減らして骨組み組立て部材の製造コストを低減させることができる。
【００１６】
請求項１０の第１棒状部材の発明は、請求項７又は９の発明において、第１棒状部材の上面及び側面には、第１棒状部材の突起が挿入結合可能な溝部が一体的に連通して形成されていることを特徴としている。したがって、複数の第１棒状部材同士を結合することができ、部品点数を減らして骨組み組立て部材の製造コストを低減させることができる。
【発明の効果】
【００１７】
請求項１及び２のジョイント部材の発明は、骨組み組立て部材の製造コストを低減させることができる。また、請求項３の発明は、挿入方向に対して鉛直な方向の抜け止めを奏することができる。また、請求項４の発明は、骨組み組立て部材の組み立て及び分解をスムーズに行うことができる。さらに、請求項５及び６の発明は、ジョイント部材を簡易に製造することができる。
【００１８】
また、請求項７の第１棒状部材の発明は、簡易な形状でありながら、汎用性を備え、骨組み組立て部材の製造コストを低減させることができる。また、請求項９及び１０の発明は、部品点数を減らして骨組み組立て部材の製造コストを低減させることができる。
【００１９】
また、請求項８の第２棒状部材の発明は、簡易な形状でありながら、汎用性を備え、骨組み組立て部材の製造コストを低減させることができる。
【図面の簡単な説明】
【００２０】
【図１】本発明に係るジョイント部材を示す斜視図。
【図２】本発明に係るジョイント部材を示す正面図。
【図３】本発明に係るジョイント部材を示す平面図。
【図４】本発明に係るジョイント部材を示す斜視図。
【図５】本発明に係る第１棒状部材を示す斜視図。
【図６】本発明に係る第１棒状部材を示す正面図。
【図７】本発明に係る第２棒状部材を示す斜視図。
【図８】本発明に係る第２棒状部材を示す斜視図。
【図９】筋交い部材を示す斜視図。
【図１０】筋交い部材を示す斜視図。
【図１１】骨組み組み立て部材を組み立てた状態を示す斜視図。
【図１２】骨組み組み立て部材を組み立てた状態を示す斜視図。
【発明を実施するための形態】
【００２１】
次に、本発明の実施形態を図面に基づいて説明する。図１は、本発明に係る骨組み組立て部材用のジョイント部材を上面方向から視た斜視図であり、図２は、同正面図、図３は、同平面図、図４は、ジョイント部材を下面方向から視た斜視図である。これらの図を用いて骨組み組立て部材用のジョイント部材について以下に説明する。
【００２２】
骨組み組立て部材を構成するジョイント部材１０は、外形が略直方体形状に成形されている。そして、上面１０ａ及び側面１０ｂ、１０ｃ、１０ｄ、１０ｅの各々に一体的に連通する溝部１ａ、１ｂ、１ｃ、１ｄが形成されている。また、上面１０ａ及び下面１０ｆの中央には穴部２ａ、２ｂが形成されている。
【００２３】
溝部１ａ、１ｂ、１ｃ、１ｄは、ジョイント部材１０に連結される後述する第１棒状部材の端部に形成された突起が挿入結合が可能となるように形成されている。また、穴部２ａ、２ｂは、ジョイント部材１０に連結される後述する第２棒状部材の端部に形成された突起が挿入結合可能となるように形成されている。
【００２４】
また、溝部１ａ、１ｂ、１ｃ、１ｄは、上面１０ａ方向からみた場合に、中央側の辺が長い略台形状に形成されている。これにより、挿入方向に対して垂直な方向へ抜けることが防止されている。尚、溝部の形状は、略台形状に替えて上面方向からみた場合に、略円形状、略楕円形状、略半円形状、略半楕円形状等、後述する第１棒状部材の突起の形状に対応させて様々な形状の溝部を採用することができる。
【００２５】
また、溝部１ａ、１ｂ、１ｃ、１ｄは、側面１０ｂ、１０ｃ、１０ｄ、１０ｅの上下方向の中間位置Ａよりも上方側に形成されている（図２参照）。これにより、骨組み組立て部材の組み立て及び分解をスムーズに行うことができる。
【００２６】
また、穴部２ａ、２ｂは、上面１０ａから下面１０ｆに貫通して形成されている。ジョイント部材１０を簡易に製造することができる。尚、穴部２ａ、２ｂは、上面１０ａ方向又は下面１０ｆ方向からみた場合に長方形状に形成されているが、円形状や楕円形状等、後述する第２棒状部材の突起の形状に対応させて様々な形状の穴部を採用することができる。また、ジョイント部材１０の材質については特に限定するものではない。
【００２７】
図５は、本発明に係る第１棒状部材を示す斜視図であり、図６は、同正面図である。これらの図を用いて骨組み組立て部材用の第１棒状部材について以下に説明する。
【００２８】
骨組み組立て部材を構成する第１棒状部材２０は、略角柱状に形成されており、両端部側面３ａ、３ｂに突起４ａ、４ｂが形成されている。この突起４ａ、４ｂは、前述したジョイント部材１０の溝部１ａ、１ｂ、１ｃ、１ｄに挿入結合可能に形成されている。
【００２９】
具体的には、突起４ａ、４ｂは、第１棒状部材２０の上面２０ａ方向から視た場合に、突起の先端部の辺が長い略台形状に形成されている。これにより、ジョイント部材１０の溝部１ａ、１ｂ、１ｃ、１ｄに挿入結合された状態では、挿入方向に対して垂直な方向へ抜けることが防止されている。尚、突起４ａ、４ｂの形状は、略台形状に替えて上面２０ａ方向からみた場合に、略円形状、略楕円形状、略半円形状、略半楕円形状等、ジョイント部材１０の溝部１ａ、１ｂ、１ｃ、１ｄ又は第１棒状部材２０の溝部６ａ、６ｂ、６ｃ、７ａ、７ｂ、７ｃの形状に対応させて様々な形状の突起を採用することができる。
【００３０】
また、第１棒状部材２０の上面２０ａ又は下面（図示せず）には、後述する第２棒状部材の突起が挿入結合可能な穴部５ａ、５ｂ、５ｃが形成されている。これにより、第１棒状部材２０と第２棒状部材とを結合することができ、部品点数を減らして骨組み組立て部材の製造コストを低減させることができる。尚、穴部５ａ、５ｂ、５ｃの形状は、上面２０ａ方向からみた場合に、長方形状に形成されているが、円形状や楕円形状等、後述する第２棒状部材の突起の形状に対応させて様々な形状を採用することができる。
【００３１】
さらに、第１棒状部材２０の上面２０ａ及び側面２０ｂ、２０ｃには、第１棒状部材２０の突起４ａ、４ｂが挿入結合可能な溝部６ａ、６ｂ、６ｃ、７ａ、７ｂ、７ｃが一体的に連通して形成されている。これにより、複数の第１棒状部材２０、２０同士を結合することができ、部品点数を減らして骨組み組立て部材の製造コストを低減させることができる。尚、溝部６ａ、６ｂ、６ｃ、７ａ、７ｂ、７ｃの形状は、上面２０ａ方向からみた場合に、内側の辺が長い略台形状に形成されているが、略台形状に替えて上面方向からみた場合に、略円形状、略楕円形状、略半円形状、略半楕円形状等、第１棒状部材２０の突起４ａ、４ｂの形状に対応させて様々な形状の溝部を採用することができる。
【００３２】
図７は、本発明に係る第２棒状部材を上面方向から視た斜視図であり、図８は、第２棒状部材を端部側面方向から視た斜視図である。これらの図を用いて骨組み組立て部材用の第２棒状部材について以下に説明する。
【００３３】
第２棒状部材３０は、略角柱状に形成されると共に、両端部側面７ａ、７ｂに、略角柱状の突起８ａ、８ｂが形成されている。この突起８ａ、８ｂは、前述したジョイント部材１０の穴部２ａ、２ｂ又は第１棒状部材２０の穴部５ａ、５ｂ、５ｃに挿入結合可能に形成されている。これにより、簡易な形状でありながら、汎用性を備え、骨組み組立て部材の製造コストを低減させることができる。尚、突起８ａ、８ｂは、直方体形状となっているが、円柱状、楕円柱状、球状等、ジョイント部材１０の穴部２ａ、２ｂ又は第１棒状部材２０の穴部５ａ、５ｂ、５ｃの形状に対応させて様々な形状を採用することができる。
【００３４】
図９及び図１０は、筋交い部材を示す斜視図である。筋交い部材４０は、板材部４０ａと、板材部４０ａの両端部に設けられた断面コ字状の把持部４１ａ、４１ｂから構成される部材であり、把持部４１ａ、４１ｂが、骨組み組み立て時に、隣り合う第２棒状部材３０、３０同士、又は、隣り合う第１棒状部材２０と第２棒状部材３０に取り付けられる。
【００３５】
図１１及び図１２は、骨組み組み立て部材を組み立てた状態を示す斜視図である。これらの図に示すように、４本の第１棒状部材２０、２０、２０、２０、と、４個のジョイント部材１０、１０、１０、１０とによって土台が形成される。そして、土台の４個のジョイント部材１０、１０、１０、１０の上部に、２本の第２棒状部材３０、３０を立設した後、この２本の第２棒状部材３０、３０の各々の端部にジョイント部材１０、１０を取り付ける。尚、平行な第１棒状部材２０、２０間を架け渡すように、第１棒状部材２０を取り付けることもできる。ここで、ジョイント部材１０と第１棒状部材２０とが結合された状態では、ジョイント部材１０の上面１０ａと第１棒状部材２０の上面２０ａとが略同一平面となるように、ジョイント部材１０と第１棒状部材２０は形成されている。同様に、第１棒状部材２０、２０同士が結合された状態では、第１棒状部材２０、２０の各々の上面２０ａ、２０ａ同士が略同一平面となるように、第１棒状部材２０は形成されている。
【００３６】
さらに、複数の第２棒状部材３０、３０、・・・を、土台の第１棒状部材２０、２０、２０から立設する。ここで、第２棒状部材３０、３０間に前述した筋違い部材４０を取り付ける。隣り合う複数の第２棒状部材３０、３０、・・・と、ジョイント部材１０、１０に２段目の第１棒状部材２０、２０、２０を取り付ける。そして、直交する１段目及び２段目の第１棒状部材２０、２０を連結するように火打ち梁部材５０が取り付けられる。
【００３７】
上述してきた本発明に係る骨組み組立て部材用ジョイント部材１０、第１棒状部材２０及び、第２棒状部材３０の材質は、特に限定するものではなく、建築等の構造を検討又は学習する際或いは玩具として遊ぶ際は、合成樹脂等、組み立てて遊ぶ菓子としてはチョコレート等の食べられる材料、組み立て家具として、更には実際の建築物として使用する場合は、木材等、様々な素材を採用することができる。
【産業上の利用可能性】
【００３８】
本発明の骨組み組立て部材用ジョイント部材及び棒状部材は、建築等の構造を検討又は学習する際、或いは、玩具として遊ぶ為、棒状のチョコレート等を組み立てて遊ぶ菓子として、組み立て家具として、更には実際の建築物として、多目的に使用される。
【符号の説明】
【００３９】
１ａ、１ｂ、１ｃ、１ｄ  溝部
２ａ、２ｂ  穴部
３ａ、３ｂ  側面
４ａ、４ｂ  突起
５ａ、５ｂ、５ｃ  穴部
６ａ、６ｂ、６ｃ、７ａ、７ｂ、７ｃ  溝部
８ａ、８ｂ  突起
１０  ジョイント部材
１０ａ、２０ａ  上面
１０ｂ、１０ｃ、１０ｄ、１０ｅ  側面
１０ｆ  下面
２０  第１棒状部材
３０  第２棒状部材
４０  筋交い部材
５０  火打ち梁部材
【図１】
2018081154.tif 000003
【図２】
2018081154.tif 000004
【図３】
2018081154.tif 000005
【図４】
2018081154.tif 000006
【図５】
2018081154.tif 000007
【図６】
2018081154.tif 000008
【図７】
2018081154.tif 000009
【図８】
2018081154.tif 000010
【図９】
2018081154.tif 000011
【図１０】
2018081154.tif 000012
【図１１】
2018081154.tif 000013
【図１２】
2018081154.tif 000014
【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
外形が略直方体形状に成形された骨組み組立て部材用のジョイント部材であって、
上面及び側面に一体的に連通して形成された溝部と、
上面及び下面に形成された穴部とを有し、
前記溝部は、ジョイント部材に連結される第１棒状部材の端部に形成された突起が挿入結合可能となるように形成されており、
前記穴部は、ジョイント部材に連結される第２棒状部材の端部に形成された突起が挿入結合可能に形成されており、且つ、
前記ジョイント部材と前記第１棒状部材とを結合した状態では、前記第１棒状部材の４側面の各々と、該４側面に対応する前記ジョイント部材の４面の各々が略同一平面となるように形成されており、
前記ジョイント部材と前記第２棒状部材とを結合した状態では、前記第２棒状部材の４側面の各々と、該４側面に対応する前記ジョイント部材の４面の各々が略同一平面となるように形成されていることを特徴とする骨組み組立て部材用ジョイント部材。
【請求項２】
溝部は、上面の４箇所と、４側面の各々に形成されていることを特徴とする請求項１に記載の骨組み組立て部材用ジョイント部材。
【請求項３】
溝部は、上面方向からみた場合に、略台形状であることを特徴とする請求項１又は２に記載の骨組み組立て部材用ジョイント部材。
【請求項４】
溝部は、側面の上下方向の中間位置よりも上方側に形成されていることを特徴とする請求項１〜３のいずれか１項に記載の骨組み組立て部材用ジョイント部材。
【請求項５】
穴部は、上面及び下面の中央に形成されていることを特徴とする請求項１〜４のいずれか１項に記載の骨組み組立て部材用ジョイント部材。
【請求項６】
穴部は、上面から下面に貫通して形成されていることを特徴とする請求項１〜５のいずれか１項に記載の骨組み組立て部材用ジョイント部材。
【請求項７】
略角柱状に形成された骨組み組立て部材用の第１棒状部材であって、
該第１棒状部材は、両端部側面に突起が形成されており、前記突起は、請求項１〜６のいずれか１項に記載のジョイント部材の溝部に挿入結合可能に形成されていることを特徴とする骨組み組立て部材用の第１棒状部材。
【請求項８】
略角柱状に形成された骨組み組立て部材用の第２棒状部材であって、
該第２棒状部材は、両端部側面に突起が形成されており、前記突起は、請求項１〜６のいずれか１項に記載のジョイント部材の穴部に挿入結合可能に形成されていることを特徴とする骨組み組立て部材用の第２棒状部材。
【請求項９】
第１棒状部材の上面又は下面には、第２棒状部材の突起が挿入結合可能な穴部が形成されていることを特徴とする請求項７に記載の骨組み組立て部材用の第１棒状部材。
【請求項１０】
第１棒状部材の上面及び側面には、第１棒状部材の突起が挿入結合可能な溝部が一体的に連通して形成されていることを特徴とする請求項７又は９に記載の骨組み組立て部材用の第１棒状部材。
【手続補正２】
【補正対象書類名】明細書
【補正対象項目名】０００６
【補正方法】変更
【補正の内容】
【０００６】
請求項１の発明は、外形が略直方体形状に成形された骨組み組立て部材用のジョイント部材であって、上面及び側面に一体的に連通して形成された溝部と、上面及び下面に形成された穴部とを有し、前記溝部は、ジョイント部材に連結される第１棒状部材の端部に形成された突起が挿入結合可能に形成されており、前記穴部は、ジョイント部材に連結される第２棒状部材の端部に形成された突起が挿入結合可能に形成されており、且つ、前記ジョイント部材と前記第１棒状部材とを結合した状態では、前記第１棒状部材の４側面の各々と、該４側面に対応する前記ジョイント部材の４面の各々が略同一平面となるように形成されており、前記ジョイント部材と前記第２棒状部材とを結合した状態では、前記第２棒状部材の４側面の各々と、該４側面に対応する前記ジョイント部材の４面の各々が略同一平面となるように形成されていることを特徴としている。